(57)【要約】【課題】表裏の区別のある用紙の印刷トレイへのセット方法を一定とした状態で、この用紙への印刷を適切に行うことができる画像記録装置等を提供すること。【解決手段】Ｓ５０８乃至Ｓ５１６の通常の両面印刷の場合には、用紙の一方の面に偶数ページが印刷され、反転され、他方の面に奇数ページが印刷され、排紙される。一方、Ｓ５１７乃至Ｓ５２６の両面印刷の場合、即ち、表裏モードの場合は（Ｓ５０８：Ｙｅｓ）、通常の両面印刷とは異なり、用紙の一方の面に奇数ページが印刷され、反転され、他方の面に偶数ページが印刷され、再度、反転されて排紙される。【選択図】図５
2008033146.tif 000002
【特許請求の範囲】
【請求項１】
用紙の片面に記録データに係る画像を形成する記録装置と、その記録装置によって画像を形成する前記用紙を収納する用紙トレイと、その用紙トレイに収納される用紙を前記記録装置に搬送する第１搬送装置と、前記記録装置に対する前記用紙の面を反転させる反転装置と、その反転装置により反転された用紙を前記記録装置に搬送可能な第２搬送装置と、前記用紙を排出する排出装置とを備えた画像記録装置において、
前記用紙トレイに前記用紙の一方の面が所定方向に向くように前記用紙が収納されている収納状態で、前記用紙を前記用紙トレイから前記第１搬送装置を介して前記記録装置に搬送させ、前記用紙の一方の面に画像を記録させ、その用紙を所定の排出状態で前記排出装置に排出させる片面記録手段と、
前記収容状態で収納されている用紙を、前記用紙トレイから前記第１搬送装置を介して前記記録装置に搬送させ、前記用紙の一方の面に偶数ページの画像を記録させ、その偶数ページが記録された用紙を前記反転装置で反転させ、その反転された用紙を前記第２搬送装置を介して前記記録装置に搬送させ、その用紙の他方の面に奇数ページの画像を記録させ、その用紙を前記所定の排出状態で前記排出装置に排出させる第１の両面記録手段と、
前記収容状態で収納されている用紙に対し、他方の面に偶数ページの画像、一方の面に奇数ページを記録させ、その用紙を前記所定の排出状態で前記排出装置に排出させる第２の両面記録手段とを備えていることを特徴とする画像記録装置。
【請求項２】
前記第２の両面記録手段は、
前記収容状態で収納されている用紙を、前記用紙トレイから前記第１搬送装置を介して前記記録装置に搬送させ、前記用紙の一方の面に偶数ページの画像を記録させることなく、前記反転装置によって前記用紙を反転させる第１の反転制御手段と、
その第１反転制御手段によって反転させた用紙を、前記第２搬送装置を介して前記記録装置に搬送させ、その用紙の他方の面に偶数ページの画像を記録させる第１の記録制御手段と、
その第１の記録制御手段によって偶数ページが記録された用紙を前記反転装置によって反転させる第２の反転制御手段と、
その第２反転制御手段によって反転させた用紙を、前記第２搬送装置を介して前記記録装置に搬送させ、その用紙の一方の面に奇数ページの画像を記録させる第２の記録制御手段と、
その第２の記録制御手段によって記録された用紙を前記所定の排出状態で前記排出装置に排出させる第１の排出制御手段とを備えていることを特徴とする請求項１に記載の画像記録装置。
【請求項３】
前記第２の両面記録手段は、
前記収容状態で収納されている用紙を、前記用紙トレイから前記第１搬送装置を介して前記記録装置に搬送させ、前記用紙の一方の面に奇数ページの画像を記録させる第３の記録制御手段と、
その第３の記録制御手段によって奇数ページが記録された用紙を、前記反転手段によって反転させる第３の反転制御手段と、
その第３の反転制御手段によって反転させた用紙を、前記第２搬送装置を介して前記記録装置に搬送させ、その用紙の他方の面に偶数ページの画像を記録させる第４の記録制御手段と、
その第４の記録制御手段によって偶数ページが記録された用紙を前記反転装置によって反転させる第４の反転制御手段と、
その第４の反転制御手段によって反転された用紙を前記所定の排出状態で前記排出装置に排出させる第２の排出制御手段とを備えていることを特徴とする請求項１に記載の画像記録装置。
【請求項４】
前記第２の排出制御手段は、前記第４の反転制御手段によって反転された用紙を、前記第２搬送装置を介して前記記録装置に搬送させ、前記用紙に画像を記録させることなく、前記排出装置に排出させることを特徴とする請求項３に記載の画像形成装置。
【請求項５】
前記反転装置は、別個に駆動可能な２つの反転機構を備え、
前記第３の反転制御手段は、前記２つの反転機構の一方によって前記用紙を反転させ、
前記第４の反転制御手段は、前記２つの反転機構の他方によって前記用紙を反転させ、
前記第２の排出制御手段は、前記第４の反転制御手段によって反転された用紙を、前記第２搬送装置および前記記録装置を介することなく、前記排出装置に排出させることを特徴とする請求項３に記載の画像形成装置。
【請求項６】
前記第１の両面記録手段と前記第２の両面印刷手段とのいずれを実行するかを設定する設定手段を備えていることを特徴とする請求項１から５のいずれかに記載の画像形成装置。
【請求項７】
用紙の片面に記録データに係る画像を形成する記録装置と、その記録装置によって画像を形成する前記用紙を収納する用紙トレイと、その用紙トレイに収納される用紙を前記記録装置に搬送する第１搬送装置と、前記記録装置に対する前記用紙の面を反転させる反転装置と、その反転装置により反転された用紙を前記記録装置に搬送可能な第２搬送装置と、前記用紙を排出する排出装置とを備えた画像記録装置を制御する画像記録装置用プログラムにおいて、
前記用紙トレイに前記用紙の一方の面が所定方向に向くように前記用紙が収納されている収納状態で、前記用紙を前記用紙トレイから前記第１搬送装置を介して前記記録装置に搬送させ、前記用紙の一方の面に画像を記録させ、その用紙を所定の排出状態で前記排出装置に排出させる片面記録ステップと、
前記収容状態で収納されている用紙を、前記用紙トレイから前記第１搬送装置を介して前記記録装置に搬送させ、前記用紙の一方の面に偶数ページの画像を記録させ、その偶数ページが記録された用紙を前記反転装置で反転させ、その反転された用紙を前記第２搬送装置を介して前記記録装置に搬送させ、その用紙の他方の面に奇数ページの画像を記録させ、その用紙を前記所定の排出状態で前記排出装置に排出させる第１の両面記録ステップと、
前記収容状態で収納されている用紙に対し、他方の面に偶数ページの画像、一方の面に奇数ページを記録させ、その用紙を前記所定の排出状態で前記排出装置に排出させる第２の両面記録ステップとを備えていることを特徴とする画像記録装置用プログラム。
【請求項８】
用紙の片面に記録データに係る画像を形成する記録装置と、その記録装置によって画像を形成する前記用紙を収納する用紙トレイと、その用紙トレイに収納される用紙を前記記録装置に搬送する第１搬送装置と、前記記録装置に対する前記用紙の面を反転させる反転装置と、その反転装置により反転された用紙を前記記録装置に搬送可能な第２搬送装置と、前記用紙を排出する排出装置とを備えた画像記録装置に対し、通信回線を介して接続される演算装置内に格納され、前記画像記録装置の記録条件を設定する画像記録装置用ドライバプログラムにおいて、
前記画像記録装置は、請求項７記載の画像記録装置用プログラムによって制御されており、
ユーザに前記第１の両面記録ステップと前記第２の両面記録ステップとのいずれを実行させるかを設定させる設定ステップを備えていることを特徴とする画像形成装置用ドライバプログラム。
【請求項９】
用紙の片面に記録データに係る画像を形成する記録装置と、その記録装置によって画像を形成する前記用紙を収納する用紙トレイと、その用紙トレイに収納される用紙を前記記録装置に搬送する第１搬送装置と、前記記録装置に対する前記用紙の面を反転させる反転装置と、その反転装置により反転された用紙を前記記録装置に搬送可能な第２搬送装置と、前記用紙を排出する排出装置とを備え、前記用紙への片面および両面印刷可能な画像記録装置において、
前記両面印刷に際し、一枚の用紙に対する前記反転装置を介した用紙の反転を、２回実行させるように前記反転装置を制御する反転制御手段と、
その反転制御手段による前記反転装置を介した１回目の反転に係る用紙を、前記第２搬送装置を介して、前記記録装置に搬送する場合に、その用紙の一方の片面に前記記録装置による画像形成の指示を出力する第１の画像形成指示手段と、
前記用紙トレイから前記第１搬送装置を介して用紙を、前記記録装置に搬送する場合に、または、前記反転制御手段による前記反転装置を介した２回目の反転に係る用紙を、前記記録装置に搬送する場合に、その用紙の他方の片面に前記記録装置による画像形成の指示を出力する第２の画像形成指示手段と、
前記第１の画像形成指示手段による指示、前記第２の画像形成指示手段による指示、および前記反転制御手段による前記反転装置を介した２回目の反転を条件として、前記排出装置から用紙を排出させるように制御する排出制御手段とを備えていることを特徴とする画像記録装置。
【発明の詳細な説明】
【技術分野】
【０００１】
本発明は、画像記録装置等に関し、特に、表裏の区別のある用紙の印刷トレイへのセット方法を一定とした状態で、この用紙への印刷を適切に行うことができる画像記録装置等に関する。
【背景技術】
【０００２】
従来より、用紙への片面印刷のみならず、両面印刷可能な印刷装置が存在し、その両面手順として、「１ジョブが４ページ分の原稿を２枚の記録面に両面プリントする場合において、全ページを両面印刷シーケンスで処理させる場合、以下のような処理をなる。１枚目の用紙の一方の面に２ページ目の画像を印刷させる→該用紙の表裏を反転させる→該用紙の他方の面に１ページ目の画像を印刷させる→１枚目の用紙を排出させる→２枚目の用紙の一方の面に４ページ目の画像を印刷させる→該用紙の表裏を反転させる→該記録紙の他方の面に３ページ目の画像を印刷させる→２枚目の記録紙を排出させる。」ものが次の特許文献１に開示されている。
【０００３】
なお、このような両面印刷可能な印刷装置において、印刷された用紙は、奇数ページ面を下にして排紙トレイに排紙され、その上側に次の用紙が同様に奇数ページを下にして積み重ねられて、すなわち、積み重ねられた用紙の下側より１ページ，２ページ，３ページ，４ページ・・・の順にぶようになっていた。
【０００４】
ここで、印刷装置による印刷に際し、使用される用紙の種類も多岐に渡り、一枚の用紙において、天地又は表裏が定められた用紙（以下、「専用紙」ということもある。）、例えば、片面光沢紙、インクジェット用葉書、が存在していた（以下、「専用紙」ということもある。）。
【特許文献１】特開２００３−２７６２８５（段落第００３１等）
【発明の開示】
【発明が解決しようとする課題】
【０００５】
上記片面光沢紙への印刷を例に説明すると、片面印刷を実施した場合を基準として、光沢面側に印刷がなされるように、印刷装置の用紙トレイに、片面光沢紙をセットする。そして、このように片面光沢紙をセットすれば、光沢面側に印刷をすることができる。
【０００６】
かかる状態で、印刷装置に片面光沢紙がセットされた状態で、例えば、１ページ目に光沢面側に印刷したい画像データを有し、２ページ目に反光沢面側に印刷したい文字データを有する印刷データの印刷を行う場合、上記印刷装置では、２ページ目の文字データを先に印刷するため、文字データが光沢面側に印刷される一方、反光沢面側に画像データが印刷されることになる。このように、片面印刷時に1ページ目が光沢面となるように用紙を用紙トレイにおくと、両面印刷にした場合に、1ページ目が非光沢面になるといった問題が生じる。これは使用者が一般的に期待する結果と異なる。上記の不具合を解消するためには、ユーザは、両面印刷を行うに際し、所定枚数の片面光沢紙を、通常の片面印刷を行う場合とは逆の状態で、用紙トレイにセットし直す必要があり、煩わしいという問題点があった。
【０００７】
また、１ページ目が光沢面となるようにするために、「奇数ページ印刷、用紙反転、偶数ページ印刷」の順に印刷をすることも考えられるが、その場合に印刷面を下側にして排紙し、その上側に次の用紙を積み重ねると、ページ順番が製本時の順番と異なることになるため、片辺を綴じて製本する際に、その順番を変えなければならないという問題があった。
【０００８】
本発明は、片面印刷及び両面印刷に係わらず、専用紙の印刷トレイへのセット方法を一定とした状態で、この専用紙への印刷を適切に行うことができる画像記録装置等を提供することを目的とする。
【課題を解決するための手段】
【０００９】
この目的を達成するために請求項１記載の画像記録装置は、用紙の片面に記録データに係る画像を形成する記録装置と、その記録装置によって画像を形成する前記用紙を収納する用紙トレイと、その用紙トレイに収納される用紙を前記記録装置に搬送する第１搬送装置と、前記記録装置に対する前記用紙の面を反転させる反転装置と、その反転装置により反転された用紙を前記記録装置に搬送可能な第２搬送装置と、前記用紙を排出する排出装置とを備えたものであって、前記用紙トレイに前記用紙の一方の面が所定方向に向くように前記用紙が収納されている収納状態で、前記用紙を前記用紙トレイから前記第１搬送装置を介して前記記録装置に搬送させ、前記用紙の一方の面に画像を記録させ、その用紙を所定の排出状態で前記排出装置に排出させる片面記録手段と、前記収容状態で収納されている用紙を、前記用紙トレイから前記第１搬送装置を介して前記記録装置に搬送させ、前記用紙の一方の面に偶数ページの画像を記録させ、その偶数ページが記録された用紙を前記反転装置で反転させ、その反転された用紙を前記第２搬送装置を介して前記記録装置に搬送させ、その用紙の他方の面に奇数ページの画像を記録させ、その用紙を前記所定の排出状態で前記排出装置に排出させる第１の両面記録手段と、前記収容状態で収納されている用紙に対し、他方の面に偶数ページの画像、一方の面に奇数ページを記録させ、その用紙を前記所定の排出状態で前記排出装置に排出させる第２の両面記録手段とを備えている。
【００１０】
請求項２記載の画像記録装置は、請求項１に記載の画像記録装置において、前記第２の両面記録手段は、前記収容状態で収納されている用紙を、前記用紙トレイから前記第１搬送装置を介して前記記録装置に搬送させ、前記用紙の一方の面に偶数ページの画像を記録させることなく、前記反転装置によって前記用紙を反転させる第１の反転制御手段と、その第１反転制御手段によって反転させた用紙を、前記第２搬送装置を介して前記記録装置に搬送させ、その用紙の他方の面に偶数ページの画像を記録させる第１の記録制御手段と、その第１の記録制御手段によって偶数ページが記録された用紙を前記反転装置によって反転させる第２の反転制御手段と、その第２反転制御手段によって反転させた用紙を、前記第２搬送装置を介して前記記録装置に搬送させ、その用紙の一方の面に奇数ページの画像を記録させる第２の記録制御手段と、その第２の記録制御手段によって記録された用紙を前記所定の排出状態で前記排出装置に排出させる第１の排出制御手段とを備えている。
【００１１】
請求項３記載の画像記録装置は、請求項１に記載の画像記録装置において、前記第２の両面記録手段は、前記収容状態で収納されている用紙を、前記用紙トレイから前記第１搬送装置を介して前記記録装置に搬送させ、前記用紙の一方の面に奇数ページの画像を記録させる第３の記録制御手段と、その第３の記録制御手段によって奇数ページが記録された用紙を、前記反転手段によって反転させる第３の反転制御手段と、その第３の反転制御手段によって反転させた用紙を、前記第２搬送装置を介して前記記録装置に搬送させ、その用紙の他方の面に偶数ページの画像を記録させる第４の記録制御手段と、その第４の記録制御手段によって偶数ページが記録された用紙を前記反転装置によって反転させる第４の反転制御手段と、その第４の反転制御手段よって反転された用紙を前記所定の排出状態で前記排出装置に排出させる第２の排出制御手段とを備えている。
【００１２】
請求項４記載の画像記録装置は、請求項３に記載の画像記録装置において、前記第２の排出制御手段は、前記第４の反転制御手段よって反転された用紙を、前記第２搬送装置を介して前記記録装置に搬送させ、前記用紙に画像を記録させることなく、前記排出装置に排出させる。
【００１３】
請求項５記載の画像記録装置は、請求項３に記載の画像記録装置において、前記反転装置は、別個に駆動可能な２つの反転機構を備え、前記第３の反転制御手段は、前記２つの反転機構の一方によって前記用紙を反転させ、前記第４の反転制御手段は、前記２つの反転機構の他方によって前記用紙を反転させ、前記第２の排出制御手段は、前記第４の反転制御手段よって反転された用紙を、前記第２搬送装置および前記記録装置を介することなく、前記排出装置に排出させる。
【００１４】
請求項６記載の画像記録装置は、請求項１から５のいずれかに記載の画像記録装置において、前記第１の両面記録手段と前記第２の両面印刷手段とのいずれを実行するかを設定する設定手段を備えている。
【００１５】
請求項７に記載の画像記録装置用プログラムは、用紙の片面に記録データに係る画像を形成する記録装置と、その記録装置によって画像を形成する前記用紙を収納する用紙トレイと、その用紙トレイに収納される用紙を前記記録装置に搬送する第１搬送装置と、前記記録装置に対する前記用紙の面を反転させる反転装置と、その反転装置により反転された用紙を前記記録装置に搬送可能な第２搬送装置と、前記用紙を排出する排出装置とを備えた画像記録装置を制御するものであって、前記用紙トレイに前記用紙の一方の面が所定方向に向くように前記用紙が収納されている収納状態で、前記用紙を前記用紙トレイから前記第１搬送装置を介して前記記録装置に搬送させ、前記用紙の一方の面に画像を記録させ、その用紙を所定の排出状態で前記排出装置に排出させる片面記録ステップと、前記収容状態で収納されている用紙を、前記用紙トレイから前記第１搬送装置を介して前記記録装置に搬送させ、前記用紙の一方の面に偶数ページの画像を記録させ、その偶数ページが記録された用紙を前記反転装置で反転させ、その反転された用紙を前記第２搬送装置を介して前記記録装置に搬送させ、その用紙の他方の面に奇数ページの画像を記録させ、その用紙を前記所定の排出状態で前記排出装置に排出させる第１の両面記録ステップと、前記収容状態で収納されている用紙に対し、他方の面に偶数ページの画像、一方の面に奇数ページを記録させ、その用紙を前記所定の排出状態で前記排出装置に排出させる第２の両面記録ステップとを備えている。
【００１６】
請求項８記載の画像記録装置用ドライバプログラムは、用紙の片面に記録データに係る画像を形成する記録装置と、その記録装置によって画像を形成する前記用紙を収納する用紙トレイと、その用紙トレイに収納される用紙を前記記録装置に搬送する第１搬送装置と、前記記録装置に対する前記用紙の面を反転させる反転装置と、その反転装置により反転された用紙を前記記録装置に搬送可能な第２搬送装置と、前記用紙を排出する排出装置とを備えた画像記録装置に対し、通信回線を介して接続される演算装置内に格納され、前記画像記録装置の記録条件を設定するものであって、前記画像記録装置は、請求項７記載の画像記録装置用プログラムによって制御されており、ユーザに前記第１の両面記録ステップと前記第２の両面記録ステップとのいずれを実行させるかを設定させる設定ステップを備えている。
【００１７】
請求項９記載の画像記録装置は、用紙の片面に記録データに係る画像を形成する記録装置と、その記録装置によって画像を形成する前記用紙を収納する用紙トレイと、その用紙トレイに収納される用紙を前記記録装置に搬送する第１搬送装置と、前記記録装置に対する前記用紙の面を反転させる反転装置と、その反転装置により反転された用紙を前記記録装置に搬送可能な第２搬送装置と、前記用紙を排出する排出装置とを備え、前記用紙への片面および両面印刷可能なものであって、前記両面印刷に際し、一枚の用紙に対する前記反転装置を介した用紙の反転を、２回実行させるように前記反転装置を制御する反転制御手段と、その反転制御手段による前記反転装置を介した１回目の反転に係る用紙を、前記第２搬送装置を介して、前記記録装置に搬送する場合に、その用紙の一方の片面に前記記録装置による画像形成の指示を出力する第１の画像形成指示手段と、前記用紙トレイから前記第１搬送装置を介して用紙を、前記記録装置に搬送する場合に、または、前記反転制御手段による前記反転装置を介した２回目の反転に係る用紙を、前記記録装置に搬送する場合に、その用紙の他方の片面に前記記録装置による画像形成の指示を出力する第２の画像形成指示手段と、前記第１の画像形成指示手段による指示、前記第２の画像形成指示手段による指示、および前記反転制御手段による前記反転装置を介した２回目の反転を条件として、前記排出装置から用紙を排出させるように制御する排出制御手段とを備えている。
【発明の効果】
【００１８】
請求項１記載の画像記録装置によれば、用紙トレイに用紙の一方の面が所定方向に向くように収納されている用紙は、片面記録手段によって、用紙トレイから第１搬送装置を介して前記記録装置に搬送され、一方の面に画像が記録され、所定の排出状態で排出装置に排出される。また、片面記録手段による場合と同じ状態で用紙トレイに収納されている用紙は、第１の両面記録手段によって、用紙トレイから第１搬送装置を介して記録装置に搬送され、一方の面に偶数ページの画像が記録され、その偶数ページが記録された用紙は、反転装置で反転され、その反転された用紙は第２搬送装置を介して記録装置に搬送され、他方の面に奇数ページの画像が記録され、所定の排出状態で排出装置に排出される。さらに、片面記録手段および第１の両面記録手段による場合と同じ状態で用紙トレイに収納されている用紙は、第２の両面記録手段によって、他方の面に偶数ページの画像、一方の面に奇数ページが記録され、所定の排出状態で排出装置に排出される。これにより、専用紙の印刷トレイへのセット方法を一定とした状態で、この専用紙への印刷を適切に行うことができる画像記録装置を得ることができる。
【００１９】
具体的に用紙として片面光沢紙への記録を例に説明すると、片面記録手段によって片面記録を実施した場合を基準として、光沢面側に記録がなされるように、用紙トレイに、片面光沢紙を収納する。そして、このように片面光沢紙を収納すれば、光沢面側に記録をすることができる。
【００２０】
一方、この片面記録の場合と同じ状態で片面光沢紙が用紙トレイに収納された状態で、例えば、１ページ目（奇数ページ目）に光沢面側に記録したい画像データを有し、２ページ目（偶数ページ目）に反光沢面側に記録したい文字データを有する画像データの記録を行う場合、第１の両面記録手段では、２ページ目（偶数ページ目）の文字データ文字データが光沢面側（一方の面）に記録される一方、反光沢面側（他方の面）に画像データが印刷されることになる。このような場合、第２の両面記録手段によれば、２ページ目（偶数ページ目）の文字データは反光沢面側（他方の面）に記録され、１ページ目（奇数ページ目）の画像データは光沢面側（一方の面）に記録される。
【００２１】
よって、ユーザは、このような両面記録を行う場合であっても、片面光沢紙を、片面記録を行う場合とは逆の状態で、用紙トレイにセットし直す必要はない。従って、片面記録及び両面記録に係わらず、専用紙の用紙トレイへのセット方法を一定とした状態で、この専用紙への記録を適切に行うことができるという効果がある。
【００２２】
請求項２記載の画像記録装置によれば、請求項１に記載の画像記録装置の奏する効果に加え、所定の収容状態で収納されている用紙は、用紙トレイから第１搬送装置を介して記録装置に搬送され、一方の面に偶数ページの画像が記録されることなく反転され、第２搬送装置を介して、再び記録装置に搬送され、他方の面に偶数ページの画像が記録され、再び反転され、第２搬送装置を介して記録装置に搬送され、一方の面に奇数ページの画像が記録され、所定の排出状態で排出装置に排出される。即ち、偶数ページの画像を一方の面に記録させる前に用紙を反転させるという簡単な制御で、第１の両面記録手段による場合とは、反対の面に偶数ページを記録させることができるという効果がある。
【００２３】
請求項３記載の画像記録装置によれば、請求項１に記載の画像記録装置の奏する効果に加え、所定の収容状態で収納されている用紙は、用紙トレイから第１搬送装置を介して記録装置に搬送され、一方の面に奇数ページの画像が記録され、反転され、第２搬送装置を介して記録装置に搬送され、他方の面に偶数ページの画像が記録され、再び、反転され、所定の排出状態で排出装置に排出される。即ち、最初に奇数ページの画像を一方の面に記録させるという簡単な制御で、第１の両面記録手段による場合とは、反対の面に偶数ページを記録させることができるという効果がある。また、奇数ページの後に偶数ページを記録するので、偶数ページの後に奇数ページを記録する場合に比べ、奇数ページを記憶しておく必要がなく、記録する際に消費される記憶容量を減少することができるという効果がある。
【００２４】
請求項４記載の画像記録装置によれば、請求項３に記載の画像記録装置の奏する効果に加え、第４の反転制御手段よって反転された用紙は、第２搬送装置を介して記録装置に搬送され、画像が記録されることなく、排出装置に排出される。よって、第４の反転制御手段よって反転された用紙を、第１の両面記録手段の場合と同様な経路を辿って排出装置に排出させることができるという効果がある。
【００２５】
請求項５記載の画像記録装置によれば、請求項３に記載の画像記録装置の奏する効果に加え、２つの反転機構の他方によって反転された用紙は、第２搬送装置および記録装置を介することなく、排出装置に排出されるので、用紙を排出装置に排出している間に、次の用紙を第１搬送装置を介して記録装置へ搬送させることができるという効果がある。
【００２６】
請求項６記載の画像記録装置によれば、請求項１から５のいずれかに記載の画像記録装置の奏する効果に加え、ユーザの要求に応じて第１の両面記録手段と第２の両面印刷手段とのいずれを実行するかを設定する設定手段を備えているので、ユーザの要求に自動的に応えることができるという効果がある。
【００２７】
請求項７記載の画像記録装置用プログラムによれば、画像記録装置を請求項１に記載の画像記録装置と同様に制御させることができるという効果がある。
【００２８】
請求項８記載の画像記録装置用ドライバプログラムによれば、ユーザに第１の両面記録ステップと第２の両面記録ステップとのいずれを実行させるかを演算装置を介して設定させることができるという効果がある。
【００２９】
請求項９記載の画像記録装置によれば、両面印刷における第１の方法として、用紙トレイに収納されている用紙は、第１搬送装置を介して、記録装置に搬送され、第２の画像形成指示手段によって他方の片面に画像が形成され、反転制御手段によって反転装置を介して１回目の反転がなされ、第２搬送装置を介して再び記録装置に搬送され、第１の画像形成指示手段によって一方の片面に画像が形成され、反転制御手段によって反転装置を介して２回目の反転がなされ、排出制御手段によって排出装置に排出される。
【００３０】
または、両面印刷における第２の方法として、用紙トレイに収納されている用紙は、第１搬送装置を介して、記録装置に搬送され、記録装置によって画像が記録されることなく反転制御手段によって反転装置を介して１回目の反転がなされ、第２搬送装置を介して記録装置に搬送され、第２の画像形成指示手段によって他方の片面に画像が形成され、反転制御手段によって反転装置を介して２回目の反転がなされ、第２搬送装置を介して再び記録装置に搬送され、第１の画像形成指示手段によって一方の片面に画像が形成され、排出制御手段によって排出装置に排出される。これにより、専用紙の印刷トレイへのセット方法を一定とした状態で、この専用紙への印刷を適切に行うことができる画像記録装置を得ることができる。
【００３１】
具体的に用紙として片面光沢紙への記録を例に説明すると、片面印刷によって片面印刷を実施した場合を基準として、光沢面側に印刷がなされるように、用紙トレイに、片面光沢紙を収納する。そして、このように片面光沢紙を収納すれば、光沢面側に印刷がなされ、その光沢面側が下向きとなって排出装置に排出される。
【００３２】
一方、この片面印刷の場合と同じ状態で片面光沢紙が用紙トレイに収納された状態で、例えば、１ページ目（奇数ページ目）に光沢面側に印刷したい画像データを有し、２ページ目（偶数ページ目）に反光沢面側に記録したい文字データを有する画像データの記録を行う場合、前記第１の方法では、用紙トレイに収納されている用紙は、第１搬送装置を介して、記録装置に搬送され、第２の画像形成指示手段によって光沢面側に１ページ目（奇数ページ目）の画像データに従った画像が形成され、反転制御手段によって反転装置を介して１回目の反転がなされ、第２搬送装置を介して再び記録装置に搬送され、第１の画像形成指示手段によって反光沢面側に２ページ目（偶数ページ目）の文字データに従った画像が形成され、反転制御手段によって反転装置を介して２回目の反転がなされ、排出制御手段によって光沢面側が下向きとなって排出装置に排出される。
【００３３】
また、第２の方法では、用紙トレイに収納されている用紙は、第１搬送装置を介して、記録装置に搬送され、記録装置によって画像が記録されることなく反転制御手段によって反転装置を介して１回目の反転がなされ、第２搬送装置を介して記録装置に搬送され、第２の画像形成指示手段によって反光沢面側に２ページ目（偶数ページ目）の文字データに従った画像が形成され、反転制御手段によって反転装置を介して２回目の反転がなされ、第２搬送装置を介して再び記録装置に搬送され、第１の画像形成指示手段によって光沢面側に１ページ目（奇数ページ目）の画像データに従った画像が形成され、排出制御手段によって光沢面側が下向きとなって排出装置に排出される。
【００３４】
よって、ユーザは、このような両面記録を行う場合であっても、片面光沢紙を、片面記録を行う場合とは逆の状態で、用紙トレイにセットし直す必要はない。従って、片面記録及び両面記録に係わらず、専用紙の用紙トレイへのセット方法を一定とした状態で、この専用紙への記録を適切に行うことができるという効果がある。
【発明を実施するための最良の形態】
【００３５】
本発明の最適な実施形態について図面を参照して説明する。まず、本実施形態における画像形成装置全体の概要について説明する。図１は、本発明の画像形成装置の一実施形態としてのレーザビームプリンタ１の概略構成を示す断面図である。図１において、レーザビームプリンタ１は、本体ケース２の底部に、図示しない用紙を給紙するフィーダユニット４を備えている。フィーダユニットは、用紙を収容するカセット４３と、図示しないバネによって押圧され、図１に実線と点線で示すように回動自在な用紙押圧板６と、給紙ローラ７と、摩擦分離部材８と、該摩擦分離部材８を付勢するバネ１０とを備えている。このような構成においては、用紙押圧板６により用紙を給紙ローラ７に押圧し、給紙ローラ７の回転により給紙ローラ７と摩擦分離部材８との間で最上位の用紙を分離して所定のタイミングで用紙の供給を行う。
【００３６】
前記給紙ローラ７の回転による用紙搬送方向の下流側には、一対の搬送ローラ５９が配置されており、その更に下流側には、一対のレジストローラ４４、４５が回転可能に枢支されている。前記給紙ローラ７によって供給された用紙は、一対の搬送ローラ５９によって一対のレジストローラ４４、４５へと搬送され、一対のレジストローラ４４、４５は、当該用紙を、後述する感光ドラム２１と転写ローラ２６によって形成される印刷位置へ所定のタイミングで搬送する。
【００３７】
感光ドラム２１は、正帯電性の材料、例えば、正帯電性のポリカーボネイトを主成分とする有機感光体からなる。具体的には、感光ドラム２１は、例えば、円筒状でアルミ製の円筒スリーブを本体として、その外周部に、ポリカーボネートに光導電性樹脂を分散させた所定厚さ（例えば、約２０μｍ）の光導電層を形成した中空状のドラムから構成され、円筒スリーブを接地した状態で、本体ケース２に回転自在に枢支される。更に、感光ドラム２１は、図示しない駆動手段により時計回り方向に回転駆動される。
【００３８】
帯電器２５は、例えば、タングステンなどからなる帯電用ワイヤからコロナ放電を発生させる正帯電用のスコロトロン型の帯電器から構成される。
【００３９】
レーザスキャナユニット１１は、感光ドラム２１上に静電潜像を形成する為のレーザ光を発生するレーザ発生器（図示せず）、回転駆動されるポリゴンミラー（５面体ミラー）１４、レンズ１５、１６、並びに反射ミラー１７，１８及び１９を含んで構成されている。
【００４０】
現像装置１２は、現像器筐体としてのケース３６内に現像剤室としてのトナー収容室２７が形成され、トナー収容室２７内には、アジテータ２９と、清掃部材３９が回転軸２８の周りに回転自在に設けられている。なお、このトナー収容室２７内には、電気絶縁性を有する正帯電性の非磁性１成分現像剤としてのトナーが収容される。また、トナー収容室２７の前記回転軸２８の両端側に位置する側壁には光透過窓４０が設けられている。また、トナー収容室２７の感光ドラム２１側には、開口部３０よってトナー収容室２７と連通し現像を行う現像室２３が形成され、供給ローラ２４と現像剤担持体としての現像ローラ２２が回転可能に枢支される。現像ローラ２２上のトナーは、薄い板状の弾性を有する層厚規制ブレード３７により所定の層厚に規制され、現像に供される。
【００４１】
ここで、現像剤担持体としての現像ローラ２２は、ステンレス鋼等で形成された芯金上に、導電性を有するカーボンの微粒子を含む導電性のシリコーンゴムで形成された円筒状の基材が設けられており、更にこの基材上には、フッ素を含有した樹脂またはゴム材のコート層が形成されている。なお、現像ローラ２２は、必ずしも基材を導電性のシリコーンゴムで構成しなくてもよく、導電性のウレタンゴムで構成しても良い。
【００４２】
また、層厚規制ブレード３７は、鉄またはステンレス鋼等で形成された支持部に、リン青銅またはステンレス鋼等で形成された薄い板状の板バネが取り付けられており、更に該板バネ上には、シリコーンゴムで形成された押圧部材３８が取り付けられて構成されている。
【００４３】
また、前記トナー収容室２７に収容されるトナーは、正帯電性の非磁性１成分現像剤であり、懸濁重合法によって球状に形成したスチレン−アクリル系樹脂に、カーボンブラック等の周知の着色剤、及びニグロシン、トリフェニルメタン、４級アンモニウム塩等の荷電制御剤を添加してなる粒径６μｍ〜１０μｍ、平均粒径８μｍのトナー母粒子を有している。そして、トナーは、そのトナー母粒子の表面にシリカを外添剤として添加して構成されている。
【００４４】
転写ローラ２６は、回転自在に枢支され、シリコーンゴムやウレタンゴムなどからなる導電性を有する発泡弾性体から構成される。転写ローラ２６は、印加される電圧により、感光ドラム２１上のトナー画像を用紙に確実に転写するように構成されている。
【００４５】
定着装置１３は、感光ドラム２１と転写ローラ２６との圧接部よりも、用紙の搬送方向の更に下流側に設けられ、加熱用ローラ３２と押圧ローラ３１を備える。用紙に転写されたトナー画像は加熱用ローラ３２と押圧ローラ３１とによって搬送される間に加熱されつつ押圧されて用紙に定着される。
【００４６】
用紙搬送用の一対の搬送ローラ３３は、加熱用ローラ３２と押圧ローラ３１よりも搬送方向下流側に設けられており、搬送ローラ３３の下流側には用紙案内トレイ６０が設けられている。
【００４７】
用紙案内トレイ６０は、回動自在に設けられているが、図１に示す位置にある場合には、搬送ローラ３３から排出された用紙を、下面方向記録材載置手段としてのフェイスダウン排紙部３５側へと案内する排出経路５６を形成する。
【００４８】
また、用紙案内トレイ６０には、案内ガイド６１が回動自在に設けられており、用紙案内トレイ６０が図１に示す位置にある場合には、案内ガイド６１は用紙案内トレイ６０よりも定着装置１３側に突出し、搬送ローラ３３から排出された用紙を、確実にフェイスダウン排紙部３５側へと案内する。なお、案内ガイド６１は、用紙の幅方向に間隔をあけて複数設けられている。
【００４９】
用紙案内トレイ６０の上方には、一対の排出ローラ３４が設けられており、用紙案内トレイ６０により案内されて搬送された用紙を、フェイスダウン排紙部３５へと排出する。フェイスダウン排紙部３５には、排出直前に画像形成された用紙の面が下面側となるように用紙３が排出される。
【００５０】
また、前記排出ローラ３４は、両面画像形成の際には、用紙を反転経路に送り込む反転装置としても機能する。両面画像形成の際には、排出ローラ３４によって排出方向へ搬送した用紙が排出される直前に、回転方向を逆方向に切り換えられる。
【００５１】
前記排出ローラ３４の周辺には、反転ガイド部６２が設けられており、用紙はこの反転ガイド部６２に沿って反転経路６３へと搬送される。
【００５２】
この反転経路６３は、上述した用紙案内トレイ６０と、背面トレイ６４とにより形成される。背面トレイ６４も、図１に示す閉位置においては、反転経路６３に搬送されてきた用紙３を、装置下方部の反転搬送部へと案内する。
【００５３】
反転搬送部には、第２の反転用紙ガイド５２と、複数個の反転用紙搬送ローラ対５５が設けられており、反転経路６３を経て搬送されてきた用紙３を、再び感光ドラム２１と転写ローラ２６との圧接部に供給する。                                   
ユーザは、このような両面記録を行う場合であっても、片面光沢紙を、片面印刷を行う場合とは逆の状態で、カセット４３にセットし直す必要はない。従って、片面記印刷及び両面印刷に係わらず、専用紙のカセット４３へのセット方法を一定とした状態で、この専用紙への印刷を適切に行うことができる。
【００５４】
また、装置の前面には、用紙手差しトレイ５７が設けられている。用紙手差しトレイ５７は、閉位置と、図１に示す開位置に回動自在に設けられており、図１に示す開位置まで用紙手差しトレイ５７を開き、この用紙手差しトレイ５７を利用して用紙を手差しで供給する。尚、用紙手差しトレイ５７に載せられた用紙は、手差し用供給ローラ５８によって一対の搬送ローラ対５９に搬送される。
【００５５】
以上のような本実施形態のレーザビームプリンタ１において、感光ドラム２１の表面が帯電器２５により一様に帯電され、レーザスキャナユニット１１から画像情報に従って変調されたレーザ光が照射されると、感光ドラム２１の表面には静電潜像が形成される。この静電潜像は、現像装置１２によってトナーで可視像化され、感光ドラム２１上に形成された可視像は感光ドラム２１によって印刷位置へと搬送される。印刷位置においては、給紙ローラ５９及びレジストローラ４５及び４６を介して用紙が供給され、前記可視像は転写ローラ２６によって印加される転写バイアスにより、用紙に転写される。なお、転写後に感光ドラム２１上に残ったトナーは、現像ローラ２２によって現像室２３に回収される。
【００５６】
次に、用紙は定着装置１３に搬送され、定着装置１３の加熱用ローラ３２と押圧ローラ３１によって挟持搬送され、用紙上の可視像は加圧及び加熱され、用紙上に定着される。そして、用紙は一対の搬送ローラ３３、案内ガイド６１、用紙案内トレイ６０、及び排出ローラ３４により、フェイスダウン排紙部３５に排出され、フェイスダウン排紙の片面画像形成動作が終了する。
【００５７】
また、両面画像形成動作時に使用される用紙反転機構は、次のように動作する。上記の印刷機構（１２、１３，２１など）を通過した印刷用紙は一旦排紙ローラによってその上部が筐体外に排紙されるが、その後端が排紙ローラに狭持された状態のまま一旦停止する。そして、排出ローラ３４に狭持された用紙は、排出ローラ３４の逆回転動作により、反転ガイド部６２へと搬送され、前記印刷機構を通過する際に後端だった辺を先頭にして用紙はこの反転ガイド部６２に沿って反転経路６３へと搬送される。用紙案内トレイ６０と背面トレイ６４とにより形成された反転経路６３を通って搬送される用紙は、第２の反転用紙ガイド５２により、反転用紙搬送ローラ対５５へと案内され、反転用紙搬送ローラ対５５により、再び感光ドラム２１と転写ローラ２６との圧接部へと供給される。この際、用紙は前に印刷機構を通過した際に上側だった面が下側に、また前に印刷機構を通過した際に先頭側（図中の左側）だった辺が、後端側（図中の右側）となるように裏返されるのである。
【００５８】
そして、用紙の裏面側に対して、上述した工程と同様の工程により画像形成され、用紙は排出ローラ３４によりフェイスダウン排紙部３５上に、裏面を下面側にして載置される。このようにして、両面画像形成動作が終了する。
【００５９】
本実施形態は、上述したフェイスダウン排紙の片面印刷、及び両面印刷の他に、更に、別の両面印刷を備え、片面印刷及び両面印刷に係わらず、用紙３のカセット４３へのセット方法を一定とした状態で、用紙３への画像形成を適切に行うことができるように構成されている。
【００６０】
図２は、レーザビームプリンタ１と、パーソナルコンピュータ（以下、「ＰＣ１００」と称す）との電気的構成を示すブロック図である。レーザビームプリンタ１は、上述したレーザスキャナユニット１１、定着装置１３、各種ローラ（給紙ローラ７，排紙ローラ３４，搬送ローラ５９等）の構成の他、ＣＰＵ６１、ＲＯＭ７１、ＲＡＭ７２、ＥＥＰＲＯＭ７３、イメージメモリ７４、ビーム検出器７５、各種ローラ用駆動回路７６、ペーパセンサ７７、インターフェース（Ｉ／Ｆ）７８を備え、これらはバスラインなどを介して互いに接続されている。尚、図中反転部２００は、後述する第２実施例で使用する構成であり、その説明は後述する。
【００６１】
ＣＰＵ６１は、ＲＯＭ７１に予め記憶されている制御プログラムに従い、ＣＰＵ６１に接続されている各デバイスの動作を制御するものである。ＲＯＭ７１は、このレーザビームプリンタ１で実行される制御プログラムや固定値などを格納した書換不能なメモリであり、図５等に示す印刷制御処理は、このＲＯＭ７１に格納されている印刷制御プログラム７１ａに従って実行される。ＲＡＭ７２は、ＲＯＭ７１内に記憶されるプログラムの実行に際して各種のデータを一時的に記憶するための揮発性のメモリである。ＥＥＰＲＯＭ７３は書換可能な不揮発性のメモリであり、ＥＥＰＲＯＭ７３へ記憶されたデータは、レーザビームプリンタ１の電源オフ後も保持される。イメージメモリ７４は、印刷のためのビットイメージ（ビットデータ）を記憶するためのメモリであり、安価な大容量メモリであるダイナミックＲＡＭ（ＤＲＡＭ）により構成されている。
【００６２】
レーザスキャナユニット１１には、上述した構成に加え、ポリゴンミラー１４を駆動するポリゴンモータ１４ａと、そのポリゴンモータ１４ａの駆動を制御するポリゴンモータ駆動回路１４ｄとを備えている。ポリゴンミラー１４は、ポリゴンモータ駆動回路１４ｄによって駆動制御されるポリゴンモータ１４によって、その回転駆動が制御されている。定着装置１３は、上述した構成に加え、加熱用ローラ３２に熱を与えるヒータ１３ａと、そのヒータ１３ａのＯＮ／ＯＦＦを制御するＯＮ／ＯＦＦスイッチ１３ｂとを備えている。
【００６３】
ビーム検出器７５は、回転駆動されるポリゴンミラー１４から照射される光ビームを検出するものである。ポリゴンミラー１４から照射される光ビームを検出する度に、レーザー変調された画像データがレーザースキャナユニット１１に送信され、回転駆動されるポリゴンミラー１４との同期を確保することができる。各種ローラ用駆動回路７６は、各種ローラ（給紙ローラ７，排紙ローラ３４，搬送ローラ５５等）を駆動させるための各モータを制御する回路である。
【００６４】
ペーパセンサ７７は、用紙３の位置を検出するセンサであり、所定箇所に複数設置されており、各ペーパセンサ７７は、例えば、用紙３に接触することにより回動する検出子と、その検出子の回動を検出するフォトインタラプタとによって構成できる。本実施例では、印刷位置である転写ローラ２６の直前、排紙ローラ３４の直前等に設置されている。
【００６５】
Ｉ／Ｆ７８は、異なる装置を電気的に接続するための公知規格に基づいた装置である。このＩ／Ｆ７８を介して、レーザビームプリンタ１は、ＰＣ１００に接続され、ＰＣ１００との間でデータの送受信（画像データの受信）を実行する。受信した画像データは、ビットイメージに変換されてイメージメモリ７４に書き込まれる。
【００６６】
一方、上述したレーザビームプリンタ１とＩ／Ｆ７８を介して接続されるＰＣ１００は、ＣＰＵ７９、ＲＯＭ８０、ＲＡＭ８１、ハードディスク８２、ＬＣＤ８３、キーボード８４、Ｉ／Ｆ８５を備えている。
【００６７】
ＣＰＵ７９はＲＯＭ８０に記憶される固定値やプログラムに基づいて、バスラインにより接続される各部を制御するものである。ＲＯＭ８０は、ＰＣ１００で実行される制御プログラム等を格納した書き換え不能なメモリである。ＲＡＭ８１は、各種のデータを一時的に記憶するためのメモリである。
【００６８】
ハードディスク８２は、書き換え可能な不揮発性のメモリであり、ＯＳ（Operatiing System）８２ａ、アプリケーション８２ｂ、デバイスドライバ８２ｃ、印刷設定記憶領域８２ｄが格納されている。ＯＳ８２ａは、基本ソフトウェアであり、例えば、Ｗｉｎｄｏｗｓ（登録商標）が該当する。アプリケーション８２ｂは、種々の文字、図形等を作成するソフトウェアであり、このアプリケーション８２ｂで作成した画像データがレーザビームプリンタ１で印刷される。デバイスドライバ８２ｃは、ＰＣ１００と接続されたレーザビームプリンタ１を正常に駆動するためのものであり、図３等に示す印刷設定記憶処理は、このデバイスドライバ８２ｃに従って実行される。印刷設定記憶領域８２ｄは、デバイスドライバ８２ｃに従ってユーザが設定した印刷設定条件を記憶する。
【００６９】
図３は、ユーザからレーザビームプリンタ１の印刷設定要求があった場合に、ＰＣ１００のＬＣＤ８３に表示される印刷設定表示画面９０を示す図であり、（ａ）は、用紙サイズ９１を選択している状態を示し、（ｂ）は、１頁目の給紙方法９８を選択している状態を示している。
【００７０】
印刷設定表示画面９０には、その設定可能項目として、用紙サイズ９１、レイアウト９２、仕切線９３、印刷の向き９４、部数９５、用紙形態９６、給紙方法９７として、1ページ目９８、２ページ目以降９９とがある。各項目は選択可能に構成されており、各項目を選択した後、下段の「ＯＫ」欄１０１を選択することで、ユーザが選択した印刷設定で印刷が実行される。尚、この画面を介して設定された印刷設定条件はＰＣ１００の印刷設定記憶領域８２ｄに記憶される。
【００７１】
例えば、用紙サイズ９１は、その選択内容がプルダウン表示可能に構成されており、図３（ａ）に示すように、上方から「Ａ４」、「Ａ４表裏有り」、「Ｌｅｔｔｅｒ」、「Ｌｅｔｔｅｒ表裏有り」の中から用紙サイズを選択可能に構成されている。「Ａ４表裏有り」は、用紙サイズが「Ａ４」であり、且つ、その用紙に表裏（例えば、片面光沢紙、表面に既にフォーム画像が印刷されている用紙等）がある場合を示している。同様に、「Ｌｅｔｔｅｒ表裏有り」は、用紙サイズが「「Ｌｅｔｔｅｒ」であり、且つ、その用紙に表裏（例えば、インクジェット葉書）がある場合を示している。
【００７２】
また、給紙方法９７としての1ページ目９８も、その選択内容がプルダウン表示可能に構成されており、図３（ｂ）に示すように、「自動選択」、「手差しトレイ」、「手差しトレイ表裏有り」の中から選択可能に構成され、手差しトレイから用紙を給紙する場合には、表裏が選択可能に構成されている。これにより、ユーザは、これから印刷する用紙に表裏が有るかを設定することができる。
【００７３】
図４は、ユーザが設定した印刷設定条件を印刷設定記憶領域８２ｄに記憶する印刷設定記憶処理のフローチャートであり、図４（ａ）は用紙サイズ９１に関する印刷設定を記憶する印刷設定記憶処理のフローチャートであり、（ｂ）は、1ページ目９８の給紙方法９７に関する印刷設定を記憶する印刷設定記憶処理のフローチャートである。
【００７４】
図４（ａ）の場合、まず、選択されている用紙サイズ９１が「Ａ４」か（Ｓ４０１）、「Ａ４表裏有り」か（Ｓ４０２）、「Ｌｅｔｔｅｒ」か（Ｓ４０３）を順番に判断する。その結果、「Ａ４」であれば（Ｓ４０１：Ｙｅｓ）、用紙サイズを「Ａ４」、表裏モードを「ＯＦＦ」とし（Ｓ４０４）、「Ａ４表裏有り」であれば（Ｓ４０２：Ｙｅｓ）、用紙サイズを「Ａ４」、表裏モードを「ＯＮ」とし（Ｓ４０５２）、「Ｌｅｔｔｅｒ」であれば（Ｓ４０３：Ｙｅｓ）、用紙サイズを「ｌｅｔｔｅｒ」、表裏モードを「ＯＦＦ」とし（Ｓ４０６）、各印刷設定条件を印刷設定記憶領域８２ｄに記憶して本処理を終了する。そして、用紙サイズ９１がいずれでもない場合には（Ｓ４０１乃至Ｓ４０３：Ｎｏ）、用紙サイズを「ｌｅｔｔｅｒ」、表裏モードを「ＯＮ」とし（Ｓ４０７）、印刷設定条件を印刷設定記憶領域８２ｄに記憶して本処理を終了する。
【００７５】
一方、図４（ｂ）に示す場合は、まず、選択されている1ページ目９８の給紙方法９７が「自動選択」か（Ｓ４０８）、「手差しトレイ」か（Ｓ４０９）を順番に判断する。その結果、「自動選択」であれば（Ｓ４０８：Ｙｅｓ）、給紙方法を「自動選択」、表裏モードを「ＯＮ」とし（Ｓ４１０）、「手差しトレイ」であれば（Ｓ４０９：Ｙｅｓ）、給紙方法を「手差しトレイ」、表裏モードを「ＯＦＦ」とし（Ｓ４１１）、各印刷設定条件を印刷設定記憶領域８２ｄに記憶して本処理を終了する。そして、給紙方法がいずれでもない場合には（Ｓ４０８乃至Ｓ４０９：Ｎｏ）、給紙方法を「手差しトレイ表裏有り」、表裏モードを「ＯＮ」とし（Ｓ４１２）、印刷設定条件を印刷設定記憶領域８２ｄに記憶して本処理を終了する。
【００７６】
図５は、印刷制御処理の概略を示すフローチャートである。この印刷制御処理は、ＰＣ１００から送信される画像データに係る画像を用紙に印刷する処理であり、印刷制御プログラム７１ａに従って、レーザビームプリンタ１のＣＰＵ６１によって実行される処理である。
【００７７】
この処理は、ＰＣ１００を介してユーザから印刷指示が送信された場合に実行され、まず、送信された画像データに含まれている印刷設定条件から両面印刷かを判断する（Ｓ５０１）。両面印刷でなければ（Ｓ５０１：Ｎｏ）、片面印刷であるとして、カウンタＮを「１」に設定した後（Ｓ５０２）、上述した片面印刷と同じように、カセット４３内に収納されている用紙の給紙を開始し（Ｓ５０３）、その用紙の片面にＮページ目を印刷し（Ｓ５０４）、その用紙を排紙する（Ｓ５０５）。そして、カウンタＮに「１」を加算し（Ｓ５０６）、終了か（次ページ有りか）を判断して（Ｓ５０７）、終了であれば（Ｓ５０７：Ｙｅｓ）、本処理を終了し、終了でなければ（Ｓ５０７：Ｎｏ８）、Ｓ５０３からの処理を繰りかえす。こうして、通常の片面印刷がなされる。
【００７８】
一方、Ｓ５０１の判断の結果、両面印刷である場合には（Ｓ５０１：Ｙｅｓ）、更に、表裏モードかを判断する（Ｓ５０８）。表裏モードでなければ（Ｓ５０８：Ｎｏ）、上述した通常の両面印刷であるとして、カウンタＮを「０」に設定した後（Ｓ５０９）、上述した両面印刷と同じように、カセット４３内に収納されている用紙の給紙を開始し（Ｓ５１０）、その用紙の片面にＮ×２＋２ページ目（偶数ページ）を天地逆転させて印刷する（Ｓ５１１）。
【００７９】
尚、天地逆転させて印刷するのは、本実施例では、縦向きに積層したＡ４サイズの用紙の一方の短辺部分を綴じ、２ページ目（偶数ページ）を見る場合には、１ページ目（奇数ページ）とは天地が逆転している状態を想定しているためである。よって、当然に、天地を逆転させずに印刷することも可能である。
【００８０】
そして、用紙を反転させ（Ｓ５１２）、Ｎ×２＋１ページ目（奇数ページ）を印刷し（Ｓ５１３）、その用紙を排紙する（Ｓ５１４）。その後、カウンタＮに「１」を加算し（Ｓ５１５）、終了か（次ページ有りか）を判断して（Ｓ５１６）、終了であれば（Ｓ５１６：Ｙｅｓ）、本処理を終了し、終了でなければ（Ｓ５１６：Ｎｏ）、Ｓ５１０からの処理を繰りかえす。こうして、通常の両面印刷が終了する。
【００８１】
一方、Ｓ５０８の判断の結果、表裏モードである場合には（Ｓ５０８：Ｙｅｓ）、カウンタＮを「０」に設定した後（Ｓ５１７）、カセット４３内に収納されている用紙の給紙を開始し（Ｓ５１８）、その用紙の片面にＮ×２＋１ページ目（奇数ページ）を印刷する（Ｓ５１９）。次に、終了か（次ページ有りか）を判断して（Ｓ５２０）、終了でなければ（Ｓ５２０：Ｎｏ）、用紙を反転させ（Ｓ５２１）、Ｎ×２＋２ページ目（偶数ページ）を天地逆転させて印刷し（Ｓ５２２）、更に、用紙を反転した後で（Ｓ５２３）、その用紙を排紙する（Ｓ５２４）。そして、カウンタＮに「１」を加算し（Ｓ５２５）、終了か（次ページ有りか）を判断して（Ｓ５２６）、終了であれば（Ｓ５２６：Ｙｅｓ）、本処理を終了し、終了でなければ（Ｓ５２６：Ｎｏ）、Ｓ５１０からの処理を繰りかえす。尚、Ｓ５２０の判断で終了であれば（Ｓ５２０：Ｙｅｓ）、本処理を終了する。
【００８２】
ここで、上述したＳ５１７乃至Ｓ５２６のステップ（表裏モードの場合）を、図６のフローチャートを参照して、より詳細に説明する。図６は、表裏モードの場合における印刷制御処理のフローチャートである。
【００８３】
この場合、まず、カウンタＮを「０」に設定した後で（Ｓ６０１）、カセット４３内に収納されている用紙の給紙すべく、給紙ローラ７を回転させ（Ｓ６０２）、給送ローラとしての搬送ローラ５９、レジストローラ４４，４５を通常速度で回転させ（Ｓ６０３）、定着装置１３のヒータ１３ａを「ＯＮ」にし（Ｓ６０４）、用紙経路を変更するために排紙ローラ３４を正回転させ（Ｓ６０５）、ポリゴンモータ１４ａを回転させ（Ｓ６０６）、所定のペーパセンサ２２を介して用紙３が印刷位置に到達したと判断するまでＳ６０７の判断を繰りかえす（Ｓ６０７：Ｎｏ）。尚、Ｓ６０２において、給紙された用紙３が、給送ローラに到達したことを所定のペーパセンサ２２によって検出した場合には、給紙ローラ７の駆動を停止させ、給紙ローラ７をフリー回転とする。
【００８４】
そして、用紙が印刷位置に到達したと判断すると（Ｓ６０７：Ｙｅｓ）、別ルーチンにおけるＳ１０１において、ビーム検出器７５がポリゴンミラー１４から照射される光ビームを検出する度に、Ｎ×２＋１ページ（奇数ページ）目のデータをラスタデータ毎にレーザー変調して送信する処理を、用紙３の後端が印刷位置を通過したことを所定のペーパセンサ２２が検出、あるいは、画像データが終了するまで続けられる（Ｓ１０１）。このＳ１０１のステップによって、カセット４３、給紙ローラ７、搬送ローラ５９、レジストローラ４４，４５を介して搬送された用紙３の一方の片面にＮ×２＋１ページ（奇数ページ）目が印刷されるのである。
【００８５】
そして、次頁が有るかを判断し（Ｓ６０８）、次頁があれば（Ｓ６０８：Ｙｅｓ）、所定のペーパセンサ２２を介して用紙３の後端が排紙ローラ３４の直前に到達したと判断するまで判断を繰りかえし（Ｓ６０９：Ｎｏ）、到達すれば（Ｓ６０９：Ｙｅｓ）、用紙経路を変更するために、排紙ローラ３４を逆回転させる（Ｓ６１０）。これによって、用紙３は、反転経路６３、複数個の反転用紙搬送ローラ対５５を介して、再び、印刷位置に向けて搬送され、所定のペーパセンサ２２を介して用紙が印刷位置に到達したと判断されるまで判断を繰りかえす（Ｓ６１１：Ｎｏ）。
【００８６】
そして、用紙が印刷位置に到達したと判断すると（Ｓ６１１：Ｙｅｓ）、別ルーチンにおけるＳ１０２において、ビーム検出器７５がポリゴンミラー１４から照射される光ビームを検出する度に、Ｎ×２＋２ページ（偶数ページ）目のデータをラスタデータ毎にレーザー変調して送信する処理を、用紙３の後端が印刷位置を通過したことを所定のペーパセンサ２２が検出、あるいは、画像データが終了するまで続けられる（Ｓ１０２）。このＳ１０２のステップによって、反転経路６３、複数個の反転用紙搬送ローラ対５５、搬送ローラ５９、レジストローラ４４，４５を介して搬送された用紙３の他方の片面にＮ×２＋２ページ（偶数ページ）目が印刷される。
【００８７】
一方、このＳ２０２のステップの間に、本処理においては、搬送経路を変更するために、排紙ローラ３４を正回転通常速度に変更させる（Ｓ６１２）。尚、本実施例では、このタイミングにおいて用紙後端は、既に、排紙ローラ４３を通過しているものとする。そして、所定のペーパセンサ２２を介して用紙後端が排紙ローラ３４の直前に到達したと判断されるまで判断を繰りかえし（Ｓ６１３：Ｎｏ）、用紙後端が排紙ローラ３４の直前に到達したと判断すると（Ｓ６１３：Ｙｅｓ）、ヒータ１３ａをＯＦＦにし（Ｓ６１４）、カウンタＮに「１」を加算し（Ｓ６１５）、用紙経路を変更すべく、排紙ローラ３４を逆回転させると共に、給送ローラを回転数をアップして回転させる（Ｓ６１６）この逆回転は、用紙の後端が急送ローら３４の位置を通過するまで行なわれ、その後正回転に戻る。これにより、用紙３は、再び、反転され、反転経路６３、複数個の反転用紙搬送ローラ対５５、印刷位置、定着装置１３、搬送ローラ３３を通過する。その後正回転する排紙ローラ３４を介して、フェイスダウン排紙部３５にＮ×２＋２ページ（偶数ページ）目が上向きとなって排紙される。
【００８８】
また、次頁が有るかを判断し（Ｓ６１７）、次頁があれば（Ｓ６１７：Ｙｅｓ）、Ｓ６０２からの処理を繰りかえし、次頁なければ（Ｓ６１７：Ｎｏ）、ポリゴンモータ１４ａを停止させ（Ｓ６１８）、用紙３が排出された後に給送ローラを停止し（Ｓ６１９）、本処理を終了する。
【００８９】
このように、この表裏モードの場合における印刷制御処理によれば、図５に示すフローチャートで説明したＳ５０８乃至Ｓ５１６の通常の両面印刷とは、反対に用紙の一方の面に奇数ページが印刷され、他方の面に偶数ページが印刷されることになる。
【００９０】
例えば、用紙３として片面光沢紙へ片面印刷をする場合、カセット４３には光沢面側が下向きになるように片面光沢紙をセットすれば、光沢面側に片面印刷をすることができる。
【００９１】
一方、この片面印刷の場合と同じ状態で片面光沢紙がカセット４３にセットされた状態で、例えば、１ページ目（奇数ページ目）に光沢面側に記録したい画像データを有し、２ページ目（偶数ページ目）に反光沢面側に記録したい文字データを有する画像データの記録を行う場合、図５のフローチャートで説明した通常の両面印刷（Ｓ５０８乃至Ｓ５１６）では、２ページ目（偶数ページ目）の文字データが光沢面側に記録される一方、反光沢面側に画像データが印刷されることになる。
【００９２】
しかし、かかる場合には、表裏モードに設定することで、１ページ目（奇数ページ目）の画像データは光沢面側に印刷され、２ページ目（偶数ページ目）の文字データは反光沢面側（他方の面）に印刷される。
【００９３】
また、排紙された状態において、最下層の用紙の下側が1ページ、その裏側が2ページとなり、その2ページ目と対面する形で３ページ目が続く。このため製本するために、用紙を並び替える必要がない。
【００９４】
よって、ユーザは、このような両面記録を行う場合であっても、片面光沢紙を、片面印刷を行う場合とは逆の状態で、カセット４３にセットし直す必要はない。従って、片面記印刷及び両面印刷に係わらず、専用紙のカセット４３へのセット方法を一定とした状態で、この専用紙への印刷を適切に行うことができる。
【００９５】
また、上記実施例の機構では、用紙反転のために、用紙の進行方向に対して向きを反転させることにより用紙を裏返している。この方式は用紙の左右方向を反転させるかたちで用紙を裏返す機構にくらべ、機械的機構が用紙搬送機構の一部を共用することができるため、簡単になるという利点があるが、反転によりその上下も反転してしまうという問題もある。このため非表裏モードで印刷した場合は、用紙の上下が意図したものに対して反転してしまうといった問題があった。すなわち片面印刷では紙の上側が図中の右側に排紙されるが、従来の両面印刷では逆にその上部が左側に排紙されてしまう。しかし表裏モードを使用することにより、両面印刷にあっても、用紙の上下を片面印刷の場合とそろえることができる。
【００９６】
また、上記実施例にあっては、Ｓ５２３の反転の処理中は、Ｓ６１４の処理によりヒーターがＯＦＦになっている。このため、既に印刷した画像に悪影響を与えることがない。また同様にＳ６１６において給送ローラのスピードを上げているために、ヒータの位置を高速に通過する。このためヒータの余熱による悪影響も回避できる。
【００９７】
なお、表裏あるいは上下の無い用紙を使用した場合には、表裏モードを解除すれば、用紙の反転の工程が表裏モードにくらべて少なくなり結果として表裏モードを指定した場合にくらべて高速に印刷することが可能となる。
【００９８】
また、意図的に、奇数ページを非光沢面、偶数ページ目を光沢面に印刷したい場合（例えば偶数ページにのみ写真画像を有するような文書を印刷する場合）にも上記表裏モードを解除することにより所望の印刷結果を得られる。
【００９９】
また、本実施例では、表裏モードの場合、奇数ページ偶数ページの順番で印刷させるので、偶数ページ奇数ページの順番で印刷させる場合よりも、偶数ページを記憶させておく必要がないので、両面印刷する場合に消費される記憶容量を減少させることができる。
【０１００】
次に、図７を参照して、上述した第１実施例の表裏モードの場合における印刷制御処理に関する第２実施例について説明する。図７は、この第２実施例の表裏モードの場合における印刷制御処理を実現するために、図１で説明したレーザビームプリンタ１に加えられる反転機構２００を示す図である。尚、図７（ａ）、（ｂ）、（ｃ）の各々は、反転機構２００に備えられているゲート２０１の位置が異なる場合の各々示している。
【０１０１】
反転機構２００は、図１の一点鎖線で囲まれたＡ部分に設置され、一対の第１反転用ローラ２０２と、一対の第２反転用ローラ２０３と、搬送ローラ３３側から第１反転用ローラ２０２側に延びる第１搬送ガイド２０４と、搬送ローラ３３側から前記第２反転用ローラ２０３側に延びる第２搬送ガイド２０５と、第１反転用ローラ２０２と前記第２反転用ローラ２０３との間に延びる第３搬送ガイド２０６と、第１，第２，第３の各搬送ガイド２０４，２０５，２０６に囲まれた空間に内に配置され、回動可能に設置されたゲート２０１とを備えている。ゲート２０１は、図２に示すように、ゲート駆動回路２０１ｂを介してゲート駆動モータ２０１ａと接続されており、ゲート駆動モータ２０１ａを駆動源として回転可能に構成されている。
【０１０２】
このように構成された反転機構２００によれば、図７（ｂ）に示す位置にゲート２０１を配置し、例えば、搬送ローラ３３側から偶数ページが上面に印刷された用紙３が搬送されると、ゲート２０１によって第２反転用ローラ２０３側への搬送が阻止され、用紙３は、第１搬送ガイド２０４に沿って、第１反転用ローラ２０２側に搬送され、第１反転用ローラ２０２の回転によって、更に、搬送ローラ３３側とは反対側に搬送される。
【０１０３】
そして、図７（ｃ）に示すように、用紙３が第１反転用ローラ２０２によって搬送されている状態で、第１反転用ローラ２０２を逆回転させると、用紙３は、偶数ページが上面のまま、第３搬送ガイド２０６、第２反転用ローラ２０３、排紙ローラ３４を介して、偶数ページが印刷された上面を上向きとしたままフェイスダウン排紙部３５に排出される。
【０１０４】
尚、ゲート２０１を図７（ａ）に示す位置に設定することで、搬送ローラ３３側から搬送される用紙３を、第２搬送ガイド２０５、第２反転用ローラ２０３を介して排紙ローラ３４に搬送させることができる。
【０１０５】
次に、図８のフローチャートを参照して、第２実施例の表裏モードの場合における印刷制御処理について説明する。この処理では、まず、カウンタＮを「０」に設定した後で（Ｓ８０１）、カセット４３内に収納されている用紙３の給紙をすべく、給紙ローラ７を回転させ（Ｓ８０２）、給送ローラとしての搬送ローラ５９、レジストローラ４４，４５を通常速度で回転させ（Ｓ８０３）、定着装置１３のヒータ１３ａを「ＯＮ」にし（Ｓ８０４）、用紙経路を変更するために排紙ローラ３４を正回転させ（Ｓ８０５）、ポリゴンモータ１４ａを回転させ（Ｓ８０６）、所定のペーパセンサ２２を介して用紙３が印刷位置に到達したと判断するまで判断を繰りかえす（Ｓ８０７：Ｎｏ）。尚、Ｓ８０２において、給紙された用紙３が、給送ローラに到達したことを所定のペーパセンサ２２によって検出した場合には、給紙ローラ７の駆動を停止させ、給紙ローラ７をフリー回転とする。
【０１０６】
そして、用紙３が印刷位置に到達したと判断すると（Ｓ８０７：Ｙｅｓ）、別ルーチンにおけるＳ１０１において、ビーム検出器７５がポリゴンミラー１４から照射される光ビームを検出する度に、Ｎ×２＋１ページ（奇数ページ）目のデータをラスタデータ毎にレーザー変調して送信する処理を、用紙３の後端が印刷位置を通過したことを所定のペーパセンサ２２が検出、あるいは、画像データが終了するまで続けられる（Ｓ１０１）。このＳ１０１のステップによって、カセット４３、給紙ローラ７、搬送ローラ５９、レジストローラ４４，４５を介して搬送された用紙３の一方の片面にＮ×２＋１ページ（奇数ページ）目が印刷される。
【０１０７】
そして、次頁が有るかを判断し（Ｓ８０８）、次頁があれば（Ｓ８０８：Ｙｅｓ）、所定のペーパセンサ２２を介して用紙３の後端が排紙ローラ３４の直前に到達したと判断するまで判断を繰りかえし（Ｓ８０９：Ｎｏ）、到達すれば（Ｓ８０９：Ｙｅｓ）、用紙経路を変更するために、排紙ローラ３４を逆回転させる（Ｓ８１０）。これによって、用紙３は、反転経路６３、複数個の反転用紙搬送ローラ対５５を介して、再び、印刷位置に向けて搬送され、所定のペーパセンサ２２を介して用紙３が印刷位置に到達したと判断されるまで判断を繰りかえす（Ｓ８１１：Ｎｏ）。
【０１０８】
そして、用紙が印刷位置に到達したと判断すると（Ｓ８１１：Ｙｅｓ）、別ルーチンにおけるＳ１０２において、ビーム検出器７５がポリゴンミラー１４から照射される光ビームを検出する度に、Ｎ×２＋２ページ（偶数ページ）目のデータをラスタデータ毎にレーザー変調して送信する処理を、用紙３の後端が印刷位置を通過したことを所定のペーパセンサ２２が検出、あるいは、画像データが終了するまで続けられる（Ｓ１０２）。このＳ１０２のステップによって、反転経路６３、複数個の反転用紙搬送ローラ対５５、搬送ローラ５９、レジストローラ４４，４５を介して搬送された用紙３の他方の片面にＮ×２＋２ページ（偶数ページ）目が印刷される。
【０１０９】
一方、このＳ２０２のステップの間に、本処理においては、反転機構２００のゲート２０１を図７（ｂ）に示す位置に設定する（Ｓ８１２）。尚、本実施例では、このタイミングにおいて用紙後端は、既に、反転機構２００を通過しているものとする。
【０１１０】
次に、次頁給紙起動条件を満足しているか判断する（Ｓ８１３）。この次頁給紙起動条件とは、第１に、次頁（次の用紙）があること。第２に、反転機構２００によって反転させる用紙３と、これから給紙しようとする用紙３とが干渉しないことである。即ち、この反転機構２００による用紙３の反転完了を待たずに次の給紙を開始し、且つ、この反転機構２００において両方の用紙３が干渉しないことが必要である。具体的には、反転完了までに要する時間をＴｒ、これから給紙しようとする用紙の搬送速度をＶ、カセット４３から反転機構２００までの距離をＬとした場合、次の用紙の印刷を開始するまでの時間Ｔが、Ｔｒ−Ｌ／Ｖ＜Ｔ＜Ｔｒという条件を満足する必要がある。
【０１１１】
そして、この２つの条件を共に満足する場合には（Ｓ８１３：Ｙｅｓ）、カセット４３内に収納されている次の用紙３の給紙をすべく、給紙ローラ７を回転させる（Ｓ８１４）。一方、この２つの条件を共に満足できない場合には（Ｓ８１３：Ｎｏ）、Ｓ８１４はスキップされ、所定のペーパセンサ２２を介して用紙後端が第１反転用ローラ２０２の直前に到達したと判断されるまでＳ８１３からの判定を繰りかえす（Ｓ８１５：Ｎｏ）。また、このＳ８１５のステップでは、Ｓ８１４の次頁の給紙が済んだかも判断する。
【０１１２】
そして、用紙後端が第１反転ローラ２０２の直前に到達したと判断すると（Ｓ８１５：Ｙｅｓ）、カウンタＮに「１」を加算し（Ｓ８１６）、ゲート２０１を図７（ｃ）に示す位置に設定して、第１反転ローラ２０２を逆回転させる（Ｓ８１７）。これにより、用紙３は、第１反転用ローラ２０２から第２反転用ローラ２０３、排紙ローラ３４を介して、フェイスダウン排紙部３５にＮ×２＋２ページ（偶数ページ）目が上向きとなって排紙される。
【０１１３】
また、次頁が有るかを判断し（Ｓ８１８）、次頁があれば（Ｓ８１８：Ｙｅｓ）、Ｓ８０２からの処理を繰りかえし、次頁なければ（Ｓ８１８：Ｎｏ）、ポリゴンモータ１４ａを停止させ（Ｓ８１９）、用紙３が排出された後に給送ローラを停止し（Ｓ８１９）、ヒータ１２ａを「ＯＦＦ」にして（Ｓ８２０）本処理を終了する。
【０１１４】
このように、この第２実施例の表裏モードの場合における印刷制御処理によれば、第１実施例の場合と同様に、図５に示すフローチャートで説明したＳ５０８乃至Ｓ５１６の通常の両面印刷とは、反対に用紙の一方の面に奇数ページが印刷され、他方の面に偶数ページが印刷されることになり、第１実施例の場合と同様の効果を奏することができる。
【０１１５】
また、第１実施例の場合には、偶数ページを印刷した後に、更に、用紙３を反転させるために、排紙ローラ３４、反転経路６３、複数個の反転用紙搬送ローラ対５５を介して、再び、印刷位置に向けて用紙３を搬送させる必要があるので、その間、次の用紙を給紙することは制限される。
【０１１６】
一方、この第２実施例の場合には、反転機構２００を備えており、印刷位置を通過させる経路とは無関係に用紙３を反転させることができるので、反転機構２００によって用紙３を反転させている間に、次の用紙３の給紙を開始させることができ、第１実施例の場合に比べて高速に両面印刷することができる。
【０１１７】
図９は、第３実施例の印刷制御処理の概略を示すフローチャートである。この第３実施例の印刷制御処理は、上述した場合と同様に、ＰＣ１００から送信される画像データに係る画像を用紙に印刷する処理であり、印刷制御プログラム７１ａに従って、レーザビームプリンタ１のＣＰＵ６１によって実行される処理である。
【０１１８】
この処理では、まず、送信された画像データに含まれている印刷設定条件から両面印刷かを判断する（Ｓ９０１）。両面印刷でなければ（Ｓ９０１：Ｎｏ）、片面印刷であるとして、カウンタＮを「１」に設定した後（Ｓ９０２）、上述した片面印刷と同じように、カセット４３内に収納されている用紙の給紙を開始し（Ｓ９０３）、その用紙の片面にＮページ目を印刷し（Ｓ９０４）、その用紙を排紙する（Ｓ９０５）。そして、カウンタＮに「１」を加算し（Ｓ９０６）、終了か（次ページ有りか）を判断して（Ｓ９０７）、終了であれば（Ｓ９０７：Ｙｅｓ）、本処理を終了し、終了でなければ（Ｓ９０７：Ｎｏ）、Ｓ９０３からの処理を繰りかえす。こうして、通常の片面印刷がなされる。
【０１１９】
一方、Ｓ９０１の判断の結果、両面印刷である場合には（Ｓ９０１：Ｙｅｓ）、カウンタＮを「０」に設定し（Ｓ９０８）、カセット４３内に収納されている用紙の給紙を開始し（Ｓ９０９）、表裏モードか否かを判断する（Ｓ９１０）。
【０１２０】
その結果、表裏モードであれば（Ｓ９１０：Ｙｅｓ）、用紙３を反転させた後で（Ｓ９１１）、用紙３の片面にＮ×２＋２ページ目（偶数ページ）を天地逆転させて印刷する（Ｓ９１２）。
【０１２１】
一方、表裏モードでなければ（Ｓ９１０：Ｎｏ）、Ｓ９１１をスキップし、即ち、用紙３を反転させることなく、用紙３の片面にＮ×２＋２ページ目（偶数ページ）を天地逆転させて印刷する（Ｓ９１２）。
【０１２２】
そして、用紙を反転させ（Ｓ９１３）、Ｎ×２＋１ページ目（奇数ページ）を印刷し（Ｓ９１４）、その用紙を排紙する（Ｓ９１５）。その後、カウンタＮに「１」を加算し（Ｓ９１６）、終了か（次ページ有りか）を判断して（Ｓ９１７）、終了であれば（Ｓ９１７：Ｙｅｓ）、本処理を終了し、終了でなければ（Ｓ９１７：Ｎｏ）、Ｓ９０９からの処理を繰りかえす。
【０１２３】
即ち、この第３実施例の印刷制御処理では、表裏モードであれば、用紙３に印刷をする前に、用紙３を反転させ、その反転させた用紙３に偶数ページを印刷し、用紙３を再度、反転させて奇数ページを印刷するように制御するものである。
【０１２４】
ここで、上述した第３実施例の印刷制御処理における両面印刷の場合の処理について図１０のフローチャートを参照して、より詳細に説明する。図１０は、両面印刷の場合における印刷制御処理のフローチャートである。
【０１２５】
この場合、まず、カウンタＮを「０」に設定した後で（Ｓ１００１）、カセット４３内に収納されている用紙の給紙すべく、給紙ローラ７を回転させ（Ｓ１００２）、偶数ページがあるか判断する（Ｓ１００３）。尚、Ｓ１００２において、給紙された用紙３が、給送ローラに到達したことを所定のペーパセンサ２２によって検出した場合には、給紙ローラ７の駆動を停止させ、給紙ローラ７をフリー回転とする。
【０１２６】
そして、偶数ページが有れば（Ｓ１００３：Ｙｅｓ）、給送ローラとしての搬送ローラ５９、レジストローラ４４，４５を通常印刷速度より早い速度で回転させ（Ｓ１００４）、用紙経路を変更するために排紙ローラ３４を正回転させ（Ｓ１００５）、所定のペーパセンサによって用紙後端が排紙ローラ３４の直前に達したと判断されるまで判断する（Ｓ１００６：Ｎｏ）。そして、用紙後端が排紙ローラ３４の直前に達したと判断した場合（Ｓ１００６：Ｙｅｓ）、用紙経路を変更するために排紙ローラ３４を逆回転させる（Ｓ１００７）。即ち、この第３実施例では、偶数ページがある場合には、カセット４３、給紙ローラ７、搬送ローラ５９、レジストローラ４４，４５、印刷位置、定着装置１３等を介して用紙３を印刷することなく搬送し、排紙ローラ３４によって用紙３を反転させるのである。
【０１２７】
そして、給送ローラを印刷時の速度に設定し（Ｓ１００８）、用紙経路を変更するために排紙ローラ３４を正回転させ（Ｓ６０５）、ポリゴンモータ１４ａを回転させ（Ｓ１００９）、ヒータ１４ａを「ＯＮ」にし（Ｓ１０１０）、所定のペーパセンサ２２を介して用紙３の先端が印刷位置に到達したと判断するまでＳ１０１１の判断を繰りかえす（Ｓ１０１１：Ｎｏ）。そして、用紙が印刷位置に到達したと判断すると（Ｓ１０１１：Ｙｅｓ）、別ルーチンにおけるＳ１０１において、ビーム検出器７５がポリゴンミラー１４から照射される光ビームを検出する度に、Ｎ×２＋２ページ（偶数ページ）目のデータをラスタデータ毎にレーザー変調して送信する処理を、用紙３の後端が印刷位置を通過したことを所定のペーパセンサ２２が検出、あるいは、画像データが終了するまで続けられる（Ｓ１０１）。このＳ１０１のステップによって、カセット４３、給紙ローラ７、搬送ローラ５９、レジストローラ４４，４５を介して搬送された用紙３の片面にＮ×２＋２ページ目（偶数ページ）が印刷されるのである。
【０１２８】
そして、印刷終了かを判断し（Ｓ１０１２）、終了するまでＳ１０１２の処理を繰りかえし、終了すれば（Ｓ１０１２：Ｙｅｓ）、奇数頁が有るかを判断し（Ｓ１０１３）、奇数頁があれば（Ｓ１０１３：Ｙｅｓ）、所定のペーパセンサ２２を介して用紙３の後端が排紙ローラ３４の直前に到達したと判断するまで判断を繰りかえし（Ｓ１０１３ａ：Ｎｏ）、到達すれば（Ｓ１０１３ａ：Ｙｅｓ）、用紙経路を変更するために、排紙ローラ３４を逆回転させる（Ｓ１０１３ｂ）。これによって、用紙３は、反転経路６３、複数個の反転用紙搬送ローラ対５５を介して、再び、印刷位置に向けて搬送され、所定のペーパセンサ２２を介して用紙３の先端が印刷位置に到達したと判断するまで判断を繰りかえす（Ｓ１０１４：Ｎｏ）。
【０１２９】
そして、用紙が印刷位置に到達したと判断すると（Ｓ１０１４：Ｙｅｓ）、別ルーチンにおけるＳ１０２において、ビーム検出器７５がポリゴンミラー１４から照射される光ビームを検出する度に、Ｎ×２＋１ページ（奇数ページ）目のデータをラスタデータ毎にレーザー変調して送信する処理を、用紙３の後端が印刷位置を通過したことを所定のペーパセンサ２２が検出、あるいは、画像データが終了するまで続けられる（Ｓ１０２）。このＳ１０２のステップによって、反転経路６３、複数個の反転用紙搬送ローラ対５５、搬送ローラ５９、レジストローラ４４，４５を介して搬送された用紙３の他方の片面にＮ×２＋１ページ（奇数ページ）目が印刷される。
【０１３０】
一方、このＳ２０２のステップの間に、本処理においては、搬送経路を変更するために、排紙ローラ３４を正回転させる（Ｓ１０１５）。尚、本実施例では、このタイミングにおいて用紙後端は、既に、排紙ローラ４３を通過しているものとする。そして、所定のペーパセンサ２２を介して用紙後端が排紙ローラ３４の直前に到達したと判断されるまで判断を繰りかえし（Ｓ１０１５：Ｎｏ）、用紙後端が排紙ローラ３４の直前に到達したと判断すると（Ｓ１０１５：Ｙｅｓ）、ヒータ１３ａをＯＦＦにし（Ｓ１０１７）、次頁が有るかを判断し（Ｓ１０１８）、次頁があれば（Ｓ１０１８：Ｙｅｓ）、Ｓ１００２からの処理を繰りかえし、次頁なければ（Ｓ１０１８：Ｎｏ）、ポリゴンモータ１４ａを停止させ（Ｓ１０１９）、用紙３が排出された後に給送ローラを停止し（Ｓ１０２０）、本処理を終了する。こうして、用紙３は、排紙ローラ３４を介して、フェイスダウン排紙部３５にＮ×２＋１ページ（奇数ページ）目が下向きとなって排紙される。
【０１３１】
このように、この表裏モードの場合における印刷制御処理によれば、用紙３に印刷をする前に、用紙３を反転させるので、図９に示すフローチャートで説明した表裏モードでない場合の両面印刷とは、反対の面に画像を形成することができる。よって、この場合にもユーザは、片面記印刷及び両面印刷に係わらず、専用紙のカセット４３へのセット方法を一定とした状態で、この専用紙への印刷を適切に行うことができる。
【図面の簡単な説明】
【０１３２】
【図１】本発明のレーザビームプリンタの概略構成を示す断面図である。
【図２】レーザビームプリンタと、ＰＣとの電気的構成を示すブロック図である。
【図３】ユーザからレーザビームプリンタの印刷設定要求があった場合に、ＰＣのＬＣＤに表示される印刷設定表示画面９０を示す図である。
【図４】ユーザが設定した印刷設定条件を印刷設定記憶領域に記憶する印刷設定記憶処理のフローチャートである。
【図５】第１実施例の印刷制御処理の概略を示すフローチャートである。
【図６】第１実施例の表裏モードの場合における印刷制御処理のフローチャートである。
【図７】第２実施例の表裏モードの場合における印刷制御処理を実現するために、レーザビームプリンタ１に加えられる反転機構２００を示す図である。
【図８】第２実施例の表裏モードの場合における印刷制御処理のフローチャートである。
【図９】第３実施例の印刷制御処理の概略を示すフローチャートである。
【図１０】第３実施例の表裏モードの場合における印刷制御処理のフローチャートである。
【符号の説明】
【０１３３】
１          レーザビームプリンタ（画像記録装置）
７          供給ローラ（第１搬送装置の一部）
１１        レザースキャナユニット（記録装置の一部）
２５        転写ローラ（記録装置の一部）
２６        感光ドラム（記録装置の一部）
３４        排紙ローラ（反転装置の一部）
３５        フェイスダウン排紙部（排出装置）
４３        カセット（用紙トレイ）
４４，４５  レジストローラ（第１搬送装置の一部）
５５        反転用紙搬送ローラ対（第２搬送装置の一部）
５９        搬送ローラ（第１搬送装置の一部）
６３        反転経路（第２搬送装置の一部）
２００                                    反転機構（２つの反転機構のうちの他方）
Ｓ５０１乃至Ｓ５０７                      片面記録手段
Ｓ５０８乃至Ｓ５１６                      第１の両面記録手段
Ｓ５１７乃至Ｓ５２６                      第２の両面記録手段
Ｓ９１１、Ｓ１００４乃至Ｓ１００７        第１の反転制御手段、反転制御手段
Ｓ９１２、図１０のＳ１０１                第１の記録制御手段、第２の画像形成指示手段
Ｓ９１３  Ｓ１０１３ｂ                    第２の反転制御手段、反転制御手段
Ｓ９１４、図１０のＳ１０２                第２の記録制御手段、第１の画像形成指示手段
Ｓ９１５、Ｓ１０２０                      第１の排出制御手段、排出制御手段
Ｓ５１９、図６のＳ１０１、図８のＳ１０１  第３の記録制御手段、第２の画像形成指示手段
Ｓ５２１、Ｓ６１０、Ｓ８１０              第３の反転制御手段、反転制御手段
Ｓ５２２、図６のＳ１０２、図８のＳ１０２  第４の記録制御手段、第１の画像形成指示手段
Ｓ５２３、Ｓ６１６、Ｓ８１７              第４の反転制御手段、反転制御手段
Ｓ５２４、Ｓ６１９、Ｓ８２０              第２の排出制御手段、排出制御手段
Ｓ５０８、Ｓ９１０                        設定手段
Ｓ４０５、Ｓ４０７、Ｓ４１０、Ｓ４１２等  設定ステップ
【図１】
2008033146.tif 000003
【図２】
2008033146.tif 000004
【図３】
2008033146.tif 000005
【図４】
2008033146.tif 000006
【図５】
2008033146.tif 000007
【図６】
2008033146.tif 000008
【図７】
2008033146.tif 000009
【図８】
2008033146.tif 000010
【図９】
2008033146.tif 000011
【図１０】
2008033146.tif 000012